(57)【特許請求の範囲】
【請求項１】
形状においては、金属棒で作成された三角形の、斜辺の一部を頂点より切断した形状を特徴とするフックで、複数本針（２）の背にあたる直線部分（８）の長さ以下の底辺（４）をもち、かつ両端の角度がそれぞれ９０度未満であり、（７）、複数本針の直線部分に溶接（３）し固定されるフック。
【請求項２】
フックの斜辺となる２本の直線の芯棒（５）（６）の間に、収縮したワームの一部を収縮させながら挟み込み、ワームの伸長力を利用して複数本針全体がワーム本体に密着し、固定強度を生み出す原理を特徴とした請求項１のフック。
【発明の詳細な説明】
伸縮性・柔軟性のあるゴム状疑似餌のワームは、非常に柔軟性・弾力性に富み、疑似餌としての表現力も豊かで、形状・着色も自在に形成でき、プラスチックやバルサ製硬質ルアーの１０分の一以下の価格で、自然分解率も高く、自然にやさしい疑似餌として非常に有効なものであるにもかかわらず、プラスチックやバルサ製硬質ルアーと比較した場合に、実釣での利用度においてはかなりの格差がある。
その原因は、そのワームの取り付ける釣り針は一本針がほとんどで（図２）、一本針より複数本針をとりつけられた硬質ルアーの方が、針掛かり率が良いのはまぎれも無い事実であるからである。
また、現状ではワームに釣り針を取り付けるとなると、釣り針の全長はワーム全長の５０％以上もあり、その針をワームの先頭部から後部方向に突き刺して使用するという実施方法をとるため、本来のワームの最大のメリットである柔軟性から得られる疑似餌としての表現力を損なうものとなってしまっているのである。またその柔軟性・表現力を活かす為に小さな釣り針を使用すると針先が前方部になる為（図２）、針掛かり率が悪化するという相反する作用が生じる結果となっている。
よって、ワーム自体の特性は硬質ルアーを凌ぐもので、安価であるにもかかわらず、その普及に歯止めがかかってしまっていると考えられる。
そこで本考案は、ワームの最大メリットである柔軟性を活かしながら、さらに硬質ルアーのメリットである複数本針の取り付けを可能とするためのフックを実釣、実験の中から考案した。
その構成は、通常２〜３本の釣り針で構成された複数本針（２）に、その一本の釣り針の直径以内の直径の金属棒を用いて、その金属棒で三角形を作るが、底辺の長さをその複数針の背の直線部分以下に収め（４）、三角形の頂点から斜辺の一部を切断し（７）、全体としてカタカナのムの形状となるようフックを作る。そのフックの底辺を複数針の背の直線部分に溶接し（３）固定されるフックである。
複数本針の背中に、カタカナのムの文字に似た形状のフックが乗せられ使用されるものということになるが、フックの前方部分の斜辺（５）の芯棒をワームに突き刺した上で、ワームを縮めながら後部の芯棒（６）を突き刺す。ワームには伸長力があり、フックは両端に角度を持っているため、複数本針全体がワーム本体に引き寄せられながら密着するということになる。しかもフックの突き刺す方向はワームに対して直線で縦方向であり、芯棒と芯棒の間隔が狭いため、ワームの柔軟性をほとんど損なわず、またこのフックの両端の角度の考案によりワーム本体に変形をきたさないで固定できることとなる。
またこのフック構造は、キャスト時には外れず、魚がワームにアタックした時には複数本針全体があえて本体から外れやすい構造とし、その際の針掛かり率の向上と針外れによるバラシを低減させる効果も生まれてくる。
【００１】
【産業上の利用分野】
釣り用具に関する釣り針の分野である。
【００２】
【従来の技術】
１）  現状でのワームに使用される釣り針は、ほとんどが一本の釣り針で使用され（図２）、複数本針の取り付け可能な硬質ルアーより針が掛かりの確率が必然的に悪化するため、実釣でのワームの使用頻度も必然的に落ちることとなる。
２）  現状で最も多く使用されるワーム用釣り針は、針掛かり率の向上を目的として針先をより後方部に設置しようとワーム全長の５０％以上もある一本の釣り針を先頭部から後部にかけ突き刺して固定する方法をとるため（図２上図）ワームは硬質化し、本来のワームのメリットである柔軟性からくる疑似餌としての表現力を大きく損なう結果となっている。
３）  ワームの柔軟性及び表現力を活かすために小さな針を使用すると（図２の中央図）、ワームの後方部から針先が遠くなるため、魚の針掛かりの確立を落とす原因となっている。よって上記２）と３）は相反する作用が生まれてくるのである。
４）  複数本針をワームに取り付ける方法もあるが（図２下図）、ワーム内部にワーム全長の５０％以上の金属性ジョイントを内蔵している。それでは針掛かりは向上するがワームの柔軟性・表現力は大きく損なわれる為、実釣の使用には歯止めがかかってしまう。
【００３】
【発明が解決しようとする課題】
自然分解率が高く、自然にやさしく、安価な疑似餌のワームをどのようにしたら現状で最も普及、使用されている硬質疑似餌のルアー以上の機能を持たせられるかということを解決する為に、下記の条件を満たすことを目的とした。
１）  従来の硬質疑似餌のルアーと同等の針掛かり率を確保するために、複数針を取り付け可能な考案とする。
２）  ワームが疑似餌として本物の魚・虫と同等の動きを表現できるよう、ワームの最大メリットである柔軟性を維持したまま複数本針を取り付け可能な考案とする。
３）  従来のどの釣り針よりも、後部に取り付け可能とし、その移動も自在とし、針掛かり率を従来以上のものとする。
【００４】
【発明が解決しようとする手段】
本発明と従来の釣り針の取り付け方法との大きな相違点は、ワームの中心もしくはワーム全体に金属を突き刺して釣り針を固定しようというのではなく、本体の一部をフックでクリップする、すなわち摘むことにより固定されれば柔軟性は維持できると判断し、またそのクリップ方法がワーム本体にほとんど変形をきたさないで取り付けられるフックの形状と、クリップ方法を考案したものである。さらにワーム本体と複数本針との設置強度、取り付け位置の自在変更、ワームの持つ伸張性を利用し固定するという条件を満たすためのフックの理想的な形状は、フックの両端の角度とフックの２つの斜辺を直線にしたことがこの考案では大きな意味をもつことを数百回に及ぶ実釣、実験から発見した。フックの底辺の両端から伸びる２つの芯棒は、両端に相対する横Ｕ字形の釣り針状の方が固定強度があると一瞬思えるが、実際にはワームの柔軟性により、ワーム本体に変形をきたし、またワーム本体と複数本針との間に隙間ができ、釣り針自体のぐらつきが発生し不安定となる。
【００５】
【作用】
本考案は以上の構成であるから、ワームの本来の柔軟性を維持しながら、複数本針をワーム本体に固定することが可能となり、それは生餌により近いワームの動き、表現力と従来以上の針掛かりの確率を上げることにつながる。よって釣果向上し、安価で自然にやさしいワームの普及率及び使用率の向上につながる。
【００６】
【実施例】
取り付ける釣り針の直径と同等以下の直径で、腐食性の無いステンレス製の棒状を、複数本針の背の直線部分に溶接し、その釣り針の背の直線部分より短くなる位置で両端を上方向に角を維持しながら曲げてゆく。理想的には、両斜辺の接点にできる角度が９０度の時点で、その接点からはみ出す部分を切り取り、後の斜辺の一部を切り取る。全体としてはカタカナのムのの文字と酷似した形状となる。
但し、複数本針の大きさ、取り付け位置のワームの肉厚、およびワームの種類により両斜辺の長さは肉厚からはみ出さない長さとなり、切り口は先鋭に切断される。
また、そのフックの両端にできる底辺と斜辺の角度は、鋭角過ぎるとワーム本体に取り付けしにくく、鈍角過ぎると固定強度が落ち外れ易くなるため、その理想的な角度はそれぞれ４５度から６０度以内の合計で９０度となることが、ワーム本体にも変形をきたしにくく、理想的な固定強度と取り付け取り外しの容易性を生み出す。
【００７】
【発明の効果】
１）従来のワーム用釣り針と比較しワームの柔軟性を大幅に改善でき、結果疑似餌としての表現力も向上し、さらに魚へのアピール度が向上し釣果向上につながる。
２）柔軟性を確保しながら、複数本針の取り付けを可能としたことにより、針掛かり率を向上できた。
３）従来のものと比較し、複数本針を最も後部に取り付けを可能とし、針掛かり率を向上できた。
４）複数本針の取り付け、取り外しの手間を従来のもの以上に簡素化し、取り付け位置の移動も可能にした。
上記の効果により、針掛かり率が大幅に向上し、疑似餌としての絶妙な動きの演出を可能とし、結果、釣果向上が期待できる。よって安価で自然分解率が高く自然にやさしいワーム疑似餌への一層の普及の期待ができる。
【図面の簡単な説明】
【図１】本考案のフックの構成側面図
（１）は、フック全体        （６）は、後部斜辺
（２）は、複数本針          （７）は、後部斜辺の切断部
（３）は、溶接部            （８）は、複数本針の背の直線部分
（４）は、フックの底辺      （９）は、釣り糸
（５）は、フックの前部斜辺  （１０）は、ワーム本体
【図２】現状でのワーム用釣り針及び使用例の断面図
【図３】本考案のフックの使用例断面図
【図１】
0003881596.tif 000002
【図２】
0003881596.tif 000003
【図３】
0003881596.tif 000004